(57)【要約】      （修正有）【課題】車内の乗員の排泄問題を解決し、プライバシーを保護でき、道路の環境衛生も維持出来る乗用車外出応急用折畳簡易トイレを提供する。【解決手段】底盤１の真中に孔を空け、底盤の上に便座２と便座蓋３を連結する。便座蓋の裏面に何枚かの紙オムツを入れ、便座蓋の上部表面の両端側にそれぞれ伸縮支持竿４を付け、伸縮支持竿上部に遮蔽カバー用のフレーム５を連結し、二つのフレームにそれぞれ遮蔽カバーを掛ける。二枚の遮蔽カバーを閉じる前部の部位に面ファスナーを設け、便座下面には交差形椅子脚８を連結するのが好ましい。【選択図】図１
0003198062.tif 000002
【実用新案登録請求の範囲】
【請求項１】
乗用車外出応急用折畳簡易トイレであって、
底盤の真中に孔を空け、また底盤の片側の上に便座と便座蓋を連結し、
便座蓋の下部表面に何枚かの紙オムツを入れ、
便座蓋の上部表面の両端側にそれぞれ伸縮支持竿を付け、
その両方の伸縮支持竿上部に、それぞれ遮るカバー用のフレームを連結し、
二つのフレームにそれぞれ遮るカバーを掛けるようにした
ことを特徴とする乗用車外出応急用折畳簡易トイレ。
【請求項２】
前記乗用車外出応急用折畳簡易トイレにおいて、
二枚の遮るカバーを閉じる前部の部位に面ファスナーを設けることを特徴とする
請求項１に記載の乗用車外出応急用折畳簡易トイレ。
【請求項３】
前記乗用車外出応急用折畳簡易トイレにおいて、
便座下面に交差形椅子脚を連結したことを特徴とする
請求項１に記載の乗用車外出応急用折畳簡易トイレ。
【請求項４】
前記乗用車外出応急用折畳簡易トイレにおいて、
伸縮支持竿に内竿と外竿を含み、内竿は外竿中に挿入する構成であって、
内竿の外面下端寄りの部位に凸ピンを形成する一方、該凸ピンと嵌合するように外竿に全長にわたって凹溝を形成すると共に、前記外竿上部に回転溝を形成して前記凸ピンをこの溝内に沿って可能に構成したことを特徴とする
請求項１に記載の乗用車外出応急用折畳簡易トイレ。
【請求項５】
前記乗用車外出応急用折畳簡易トイレにおいて、
便座の側端に１巻の両面テープを配置することを特徴とする
請求項１に記載の乗用車外出応急用折畳簡易トイレ。
【請求項６】
前記乗用車外出応急用折畳簡易トイレにおいて、
遮るカバーが掛けられたフレームは鋼線を台形に成形してなることを特徴とする
請求項１に記載の乗用車外出応急用折畳簡易トイレ。
【考案の詳細な説明】
【技術分野】
【０００１】
本実用新案は、乗用車外出応急用折畳簡易トイレに関する。
【背景技術】
【０００２】
乗用車での外出時、車内で大、小便をしたいと思った際に、非常に不便である。特に連休の際、家族連れの外出が多く、道路が渋滞の場合は外出の人々は大小便排泄及びプライバシー等で困ることが多く、また、道路の環境衛生が懸念される。
【考案の概要】
【考案が解決しようとする課題】
【０００３】
本実用新案の目的は乗用車外出応急用折畳簡易トイレを提供し、当乗用車外出応急用折畳簡易トイレは構造が簡単、設計が合理で、外出の時、車内の人に応急排泄に便利となるための技術である。
【課題を解決するための手段】
【０００４】
本考案の乗用車外出応急用折畳簡易トイレ、その特徴は底盤の真中に孔を空け、また底盤に片側の上に便座と便座蓋を連結する。前記の便座蓋の裏面に何枚かの紙オムツを入れ、便座蓋の上部表面の両端側にそれぞれ伸縮支持竿を付け、その両方の伸縮支持竿上部にそれぞれカバーのフレームと連結、二つのフレームにそれぞれ遮るカバー掛ける。
【０００５】
また、上記二枚遮るカバー前部の閉じる部位に面ファスナーを設けることができる。
また、上記の便座下面に交差形椅子脚を連結することができる。
また、上記の伸縮支持竿に内竿と外竿を含み、内竿は外竿に挿入される。内竿の下端寄り部に一箇所に凸ピンが形成され、その凸ピンに合わせて伸縮出来るように外竿の中に全長の長さで凹溝を形成する、また、前記外竿上部に回転溝を形成し、凸ピンをこの回転溝に回転可能とする。
また、上記の便座の側端に１巻の両面テープを配置する。
また、上記の遮るカバーを掛けるためのフレームは鋼線を台形に成形することができる。
【０００６】
本実用新案の乗用車外出応急用折畳簡易トイレを使用時、便座蓋を上げ、便座蓋の裏面から紙オムツを一枚取り出し、便座に両面テープ貼り付け、紙オムツを便座の両面テープに貼り付け、固定させ。その後、便座蓋と便座に直角状態で立てられ、便座蓋の表面の両端の内竿を引き出して、回動し、外竿の適当な回転溝に固定させ、次に遮るカバーのフレーム展開され、その上に遮るカバーを掛けられ、使用者が中に座り込んでから、二枚の遮るカバーを合わせ、面ファスナーで閉じ、使用者が利用できる、利用後、紙オムツを取り出し包んで燃えるゴミとして廃棄する。
【考案の効果】
【０００７】
本考案による乗用車外出応急用折畳簡易トイレは、車内の乗員の排泄に係る問題を解決し、同時にプライバシー保護でき、又は道路の環境衛生にも維持することが出来る。
【図面の簡単な説明】
【０００８】
【図１】本実用新案の構造を示す透視斜視図である。
【図２】本実用新案の使用実施態様を示す透視斜視図である。
【図３】内竿と外竿連結の構造を示す図である。
【図４】図3のA-A機構図である。
【考案を実施するための形態】
【０００９】
本考案の乗用車外出応急用折畳簡易トイレの構造は、底盤1の真中に孔を空け、底盤に片側の上に便座2と便座蓋3を連結する。前記の便座蓋3の下部裏面に何枚かの紙オムツを入り、便座蓋の上部表面の両端側にそれぞれ伸縮支持竿4を付け、その両方の伸縮支持竿上部4にカバーの二つフレーム5と連結、二つのフレームにそれぞれ遮るカバー6を掛ける。
【００１０】
また、上記二枚の遮るカバー6を閉じるため、前部の閉じる部位に面ファスナー7を付けることができる。
また、使用者が座り易いように、上記の便座下面に交差形椅子脚8を連結される。
【００１１】
より具体的には、伸縮支持竿の内竿をよく固定させるため、上記の伸縮支持竿に内竿9と外竿10を含まれ、内竿9は外竿10中に入り込む、内竿の下端寄り部の一箇所に凸ピン11が構造され、その凸ピンに合わせて伸縮出来るように外竿の中に全長さで凹溝を設置され、また、前記外竿上部に回転溝13を設定され、凸ピンをこの溝に回動可能となる。
【００１２】
使用時、内竿9引き出して、凸ピン11を凹溝12の中に滑り出す、設定された位置に引き出したら、内竿9を回し、内竿の凸ピンは回転溝13に回す、このように内竿9を固定され、滑り戻ることがない。
【００１３】
また、使用者に紙オムツを貼り付けしやすいため、上記の便座の側端に１巻の両面テープを配置する。
また、遮るカバーのフレーム丈夫さを強化のため、フレームは鋼線を台形に成形された。
本実用新案の乗用車外出応急用折畳簡易トイレが使用時、便座蓋を上げ、便座蓋の下面から紙オムツを一枚取り出し、便座に両面テープ貼り付け、紙オムツを便座の両面テープに貼り付け、固定させ。その後、便座蓋と便座に直角状態で立てられ、便座蓋の表面の両端の内竿を引き出して、回動し、外竿に適当な回転溝に固定させ、次に遮るカバーのフレームを展開し、その上に遮るカバーを掛けられ、使用者が中に座り込んでから、二枚の遮るカバーを合わせ、面ファスナーで閉じ、使用者が利用できる、使用後、紙オムツを取り出し包んで燃えるゴミとして廃棄する。
【００１４】
本実用新案の乗用車外出応急用折畳簡易トイレは車内の乗員の排泄問題を解決し、同時にプライバシー保護でき、又は道路の環境衛生にも維持することが出来る。
【００１５】
１  底盤
２  便座
３  便座蓋
４  伸縮支持竿
５  フレーム
６  遮るカバー
【図１】
0003198062.tif 000003
【図２】
0003198062.tif 000004
【図３】
0003198062.tif 000005
【図４】
0003198062.tif 000006